【事件の表示】
　特許第３０９５０２１号「パチンコ機」の請求項１及び２に係る特許に対する特許異議の申立てについて、次のとおり決定する。
【結　論】
　訂正を認める。
　特許第３０９５０２１号の請求項１及び２に係る特許を取り消す。
【理　由】
１．手続の経緯
　本件特許第３０９５０２１号の請求項１及び２に係る発明は、平成３年１月２６日に特許出願され、平成１２年８月４日に設定登録がなされ、その後、河井清悦より特許異議の申立てがなされ、平成１３年７月１２日付けで取消理由通知がなされ、その指定期間内である平成１３年９月２５日に訂正請求がなされたものである。
　　　　
２．訂正の適否についての判断
　（１）訂正の内容
　i．訂正事項ａ
　特許請求の範囲の請求項１の記載を、
　「機前に設けた球皿と、該球皿に連通させた状態で機裏に設けた案内樋と、この案内樋に貸球を放出する球放出装置等からなり機前に貸球命令入力用の貸球ボタンを有する操作部を配置した貸球装置とを有するパチンコ機において、前記球放出装置から放出されたパチンコ球が案内樋内に貯まっていることを検出するセンサーを設け、そのセンサーがパチンコ球を検出しているとき前記貸球ボタンからの貸球命令を受け付けないように設定し、さらに前記センサーがパチンコ球を検出しなくなると貸球ボタンの受け付けを再開して通常の作動に戻るようにしたことを特徴とするパチンコ機。」
と訂正する。
　ii．訂正事項ｂ
　特許明細書の段落【０００５】の【課題を解決するための手段】を、
　「本発明は上記に鑑み提案されたもので、請求項１に記載したように、機前に設けた球皿と、該球皿に連通させた状態で機裏に設けた案内樋と、この案内樋に貸球を放出する球放出装置等からなり機前に貸球命令入力用の貸球ボタンを有する操作部を配置した貸球装置とを有するパチンコ機において、前記球放出装置から放出されたパチンコ球が案内樋内に貯まっていることを検出するセンサーを設け、そのセンサーがパチンコ球を検出しているとき前記貸球ボタンからの貸球命令を受け付けないように設定し、さらに前記センサーがパチンコ球を検出しなくなると貸球ボタンの受け付けを再開して通常の作動に戻るようにしたパチンコ機を提供するものである。」と訂正する。
　   
　（２）訂正の目的の適否、新規事項の有無及び拡張変更の存否
　上記訂正事項ａは、特許明細書の特許請求の範囲には記載されていた「貸球装置を有するパチンコ機」をより下位概念に限定しようとするものであるから、特許請求の範囲の減縮を目的とするものであり、また、上記訂正事項ｂは、前記特許請求の範囲の減縮に伴って、減縮された特許請求の範囲の記載と発明の詳細な説明の記載とを整合させるため、課題を解決するための手段を訂正する、明りょうでない記載の釈明を目的とするものであり、そして、これらの訂正事項ａ及びｂは、特許明細書に記載された事項の範囲内において訂正するものであるから新規事項の追加に該当せず、また、実質上特許請求の範囲を拡張し又は変更するものでもない。
　　　
　（３）むすび
　したがって、上記訂正は特許法第１２０条の４第３項で準用する平成６年法律第１１６号による改正前の特許法第１２６条第１項ただし書き及び第２項の規定に適合するので、当該訂正を認める。
　　　　
３．特許異議申立てについての判断
　（１）取消理由の概要 
　当審が平成１３年７月１２日付けで通知した取消理由は、本件請求項１及び２に係る発明は、先願である下記の甲第１号証に記載された発明と同一であるので、本件請求項１及び２に係る発明の特許は、特許法第２９条の２第１項の規定に違反してされたものであるから、取り消されるべきというものである。
甲第１号証：特開平４−１０２４８３号公報〔特願平２−２１９０８６号〕
　　　　　　
　（２）本件発明
　本件請求項１及び２に係る発明（以下、「本件発明１及び２」という。)は、訂正が認められるから、本件の訂正明細書及び図面の記載からみて、その特許請求の範囲の請求項１及び２に記載された事項(前記２．（１）i．訂正事項ａ参照）により特定されるものである。
　【請求項１】　機前に設けた球皿と、該球皿に連通させた状態で機裏に設けた案内樋と、この案内樋に貸球を放出する球放出装置等からなり機前に貸球命令入力用の貸球ボタンを有する操作部を配置した貸球装置とを有するパチンコ機において、前記球放出装置から放出されたパチンコ球が案内樋内に貯まっていることを検出するセンサーを設け、そのセンサーがパチンコ球を検出しているとき前記貸球ボタンからの貸球命令を受け付けないように設定し、さらに前記センサーがパチンコ球を検出しなくなると貸球ボタンの受け付けを再開して通常の作動に戻るようにしたことを特徴とするパチンコ機。
　【請求項２】　前記貸球装置が停止中である旨を外部に報知する報知手段を設けるようにしたことを特徴とする請求項１記載のパチンコ機。
　　　
　（３）先願に記載の発明
　i.先願である特願平２−２１９０８６号の明細書及び図面を示す甲第１号証〔特開平４−１０２４８３号公報〕には、以下の事項が記載されている。
　「そこで、本発明は、上記した従来の技術の有する問題点に鑑みてなされたものであり、その目的とするところは、特別遊技の進行中に、上記したようにオーバーフロー状態や球不足状態等の中断条件が発生した場合には、特別遊技を一時中断させ、中断条件が解消した後、特別遊技を中断時の状態から再開させるようにすることで、遊技者に公平に特別遊技を行わせ、もって遊技者の不利益の発生を未然に防止するようにした遊技機を提供しようとするものである。」（第２頁右上欄第８〜１７行）、
　「図中、１０は、遊技装置を示し、本装置１０は、第２図に示すように、大別すると、遊技として例えばパチンコ遊技を行う遊技部２０と、この遊技部２０の上部右隅に位置し、価値媒体としての例えばカードの挿入を条件に、遊技部２０で使用する遊技媒体としてのパチンコ球を貸し出すための遊技媒体貸出部３０と、この遊技媒体貸出部３０の向かって左横に位置し、各種表示を行う横長の表示ボード部４０とを備える。上記遊技部２０には、第２図に示すように、ガイドレール５０で囲まれた盤面部５１と、この盤面部５１の下側に位置し、パチンコ球を供給する上皿６０と、この上皿６０の真下に位置し、上皿６０からのパチンコ球を受け入れる下皿７０と、この下皿７０の向かって右側に位置し、上皿６０内に供給されたパチンコ球を盤面部５１に向かって発射操作するための操作部８０と、下段中央に位置する各種効果音を発生するスピーカ９０とを備える。」(第３頁右上欄第２〜１９行)、
　「遊技媒体貸出部３０には、第２図に示すように、カード挿排口３１と、このカード挿排口３１より挿入されたカードの投入価値をデジタル表示する投入価値表示部３２と、貸球の借り受け数量、例えば金額を選択する複数の選択スイッチ３３ａ〜３３ｃと、貸出部３０の稼動中に点灯し、貸出部３０が稼動状態にあることを表示する稼動状態表示部３４と、カード挿排口３１より挿入したカードの抜取りを要求するカード抜取スイッチ３５と、カードの排出状態を表示するカード排出表示部３６とを備える。尚、稼動状態表示部３４が消灯すると、貸球の貸出しが不能となる。」（第３頁右下欄第１２行〜第４頁左上欄第３行）、
　「遊技装置１０の背面には、第３図に示すように、その上段に球を貯留する貯留タンク１００と、その下側に貯留タンク１００から流下する球を整列する整列樋１１０と、向かって右側に縦長に配設され、整列樋１１０から流下する球を、遊技装置１０の前面の上皿６０に１個宛排出する遊技媒体排出装置１２０と、上皿６０と下皿７０とを連通する連通樋１３０とを備える。」（第４頁右上欄第４〜１０行）、
　「上記整列樋１１０の底には、第３図に示すように、貯留タンク１００内の貯留球の不足状態を検出する排出球不足検出器１１１を設けている。」（第４頁右上欄第１４〜１６行）、
　「前記連通樋１３０には、第３図に示すように、オーバーフローした球を検出するオーバーフロー検出器１３１を設けている。」（第４頁左下欄第１４〜１６行）、
　「上記貸出部３０で使用するカードは、ホール内のカード発行機（図示せず）より発行され、遊技者は、発行されたカードを持って各遊技装置１０の所に行き、第２図に示すように、該カードを遊技装置１０の貸出部３０のカード挿排口３１より挿入し、選択スイッチ３３ａ〜３３ｃの１つを選択操作することで、貸球を借り受ける。選択スイッチ３３ａ〜３３ｃを選択操作すると、遊技装置１０の背面側の遊技媒体排出装置１２０（第３図）が作動し、選択操作された選択スイッチ３３ａ〜３３ｃに対応した数のパチンコ球が、遊技装置１０の前面の上皿６０に直接供給され、遊技者は、操作部８０の操作ハンドル８１を回転操作することで、上皿６０内に供給されたパチンコ球を、即座に発射できる。」（第５頁左上欄第３〜１６行）、
　「又、カード排出制御手段２５３の入力段には、第７図に示すように、遊技遊技装置１０の前面のカード抜取スイッチ３５（第２図）、遊技装置１０の内部の排出球不足検出器１１１及びオーバーフロー検出器１３１（第３図）、並びに遊技装置１０外の管理室（図示せず）に配置された管理装置２６０が各々接続されている。」（第８頁左下欄第６〜１２行）、
　「又、排出球不足検出器１１１からの排出球不足検出信号及びオーバーフロー検出器１３１からのオーバーフロー検出信号が出力された際にも、カードを自動的に排出させ、貸球の貸出しを不能とする。」（第８頁左下欄第１８行〜右下欄第１行）、
　「上記したようにカード排出制御手段２５３において、カード排出指令信号を出力するカード排出条件としては、カード識別手段２５２からの不正カード検出信号の入力、投入価値演算記憶手段２２８からの帰零信号の入力、排出タイマ手段２５６からのタイムアウト信号の入力、カード抜取スイッチ３５からのカード抜取信号の入力、排出球不足検出器１１１からの排出球不足検出信号の入力、オーバーフロー検出器１３１からのオーバーフロー検出信号の入力、さらに管理装置２６０の特別遊技終了検出手段２６１からの特別遊技終了検出信号の入力、最大利益数獲得検出手段２６２からの最大利益数獲得検出の入力、カード強制排出指令手段２６３からのカード強制排出指令信号の入力、及び閉店時間検出手段２６４からの閉店時間検出信号の入力を各々条件として設定している。」（第８頁右下欄第１３行〜第９頁左上欄第７行）、
　「つぎに、第１図を用いて、中央制御装置１４０内の特別遊技中断制御部の構成を説明すると、特別遊技中断制御部には特別遊技中断手段２８０を備える。上記特別遊技中断手段２８０の入力段には、第１図に示すように、排出球不足検出器１１１及びオーバーフロー検出器１３１等が各々接続されている。又、特別遊技中断手段２８０の入出力段には、特別遊技制御部２７０の特別遊技制御手段２７１等が接続されている。特別遊技の進行中に、排出球が不足し、排出球不足検出器１１１(第３図)から特別遊技中断手段２８０に排出球不足検出信号が送出されると、この排出球不足検出信号にもとづいて特別遊技中断手段２８０から特別遊技制御手段２７１に、特別遊技中断信号が送出される。」(第９頁右下欄第１９行〜第１０頁左上欄第１４行)、
　「さらに、先に説明したように、排出球不足検出器１１１は、第７図に示すように、カード排出制御手段２５３に接続され、排出球不足検出器１１１からの排出球不足検出信号にもとづいてカードを排出させ、貸球の貸出しを不能とする。尚、このほか選択スイッチ３３ａ〜３３ｃの操作を不能としたり、或は選択スイッチ３３ａ〜３３ｃからの信号を無効としてもよいし、さらには後述するが、カードの抜取り後、カード挿排口３１にシャッタを下ろし、新たなカードの挿入を不能としてもよい。この特別遊技の中断状態は、排出球が補給され、排出球不足検出器１１１からの排出球不足検出信号の出力がなくなると、自動的に解除される。尚、このとき、排出球不足表示部４３が消灯し、又、打球の発射操作が可能となると共に、カードを再度挿入して、貸球の貸出しが可能となる。」（第１０頁左下欄第２〜１７行）、
　「又、稼動状態表示制御手段３１３を介して遊技媒体貸出部３０の稼動状態表示部３４（第２図）を消灯させ、貸球の貸出しができないことを遊技者に知らせる。」（第１２頁左下欄第４〜７行）、
　「尚、遊技媒体の貸出し不能状態の実現としては、先に説明したように、選択スイッチ３３ａ〜３３ｃの操作を不能としたり、或いは選択スイッチ３３ａ〜３３ｃからの信号を無効としてもよい。」（第１２頁右下欄第２〜５行）、
　「つぎに、第１０図を用いて、貸球制御装置２１０のカード搬送制御部におけるカード搬送処理を説明する。まず、ステップ５００において、貸球稼動フラグが有るかを判断し、貸球稼動フラグが有れば、ステップ５０１に進み、遊技媒体貸出部３０の投入価値表示部３２（第２図）のデジタル表示を帰零し、その後、ステップ５０２に進み、稼動状態表示部３４（第２図）を点灯ないしは点滅させる。」（第１４頁左上欄第１９行〜右上欄第７行）、
　「又、先のステップ５００において、貸球稼動フラグがセットされていなければ、ステップ５１５に進み、投入価値表示部３２の表示を消した後、ステップ５１６に進み、稼動状態表示部３４も消灯させ、ステップ５００に戻るようにしている。」（第１４頁左下欄第２０行〜右下欄第４行）、
　「一方、第１７図は、本発明の第２実施例を示すものであり、本実施例においては、遊技媒体貸出部３０を、遊技装置１０の上皿６０の下側に配設したものである。」（第１９頁左上欄第５〜８行）、
　「又、第１８図は、本発明の他の実施例を示すものであり、本実施例においては、遊技媒体貸出部３０を、遊技装置１０の向かって左側に縦一列に配設したものである。」（第１９頁左上欄第１１〜１４行）。
　　　
　ii．先願明細書における前記摘示の記載及び図面の１乃至１８図によれば、特別遊技の進行中に、オーバーフロー状態や球不足状態等の中断条件が発生した場合には、特別遊技を一時中断させ、その後中断条件が解消した後に特別遊技を中断時の状態から再開させることを目的に、貯留タンク１００内のパチンコ球が不足していることを検出する排出球不足検出器１１１や、遊技媒体排出装置１２０から放出されたパチンコ球が連通樋１３０内に貯まっていることを検出するオーバーフロー検出器１３１等からの検出信号に基づいて遊技を中断させるとともに、遊技媒体貸出部３０に係るカード排出制御手段２５３によりカードを排出させ、貸球の貸出しを不能とし、その後、前記排出球不足検出器１１１が貯留タンク１００内のパチンコ球の不足を検出しなくなるか、又は、前記オーバーフロー検出器１３１がパチンコ球が連通樋１３０内に貯まっていることを検出しなくなると遊技の中断を自動的に解除して遊技を中断時の状態から再開させて貸球の貸出しを可能にした遊技装置が開示されているものと認められる。
　そして、先願明細書には、前記遊技装置において、排出球不足検出器１１１が貯留タンク１００内のパチンコ球の不足を検出しているときに貸球の貸出しを不能とする手段として、カードを排出させることに代えて、遊技媒体貸出部３０に配置した貸球命令入力用の選択スイッチ３３ａ〜３３ｃの操作を不能、あるいは選択スイッチ３３ａ〜３３ｃからの信号を無効としてもよいとする記載が先願明細書の第１０頁左下欄第２〜１７行に認められるが、オーバーフロー検出器１３１がパチンコ球が連通樋１３０内に貯まっていることを検出しているときに、選択スイッチ３３ａ〜３３ｃの操作を不能、あるいは選択スイッチ３３ａ〜３３ｃからの信号を無効とするか否かについては、明示的な記載が認められないところ、先願明細書の第８頁左下欄第１８行〜右下欄第１行における、排出球不足検出信号及びオーバーフロー検出信号が出力された際にカードを自動的に排出させ、貸球の貸出しを不能とする旨の記載、及び、第８頁右下欄第１４行〜第９頁左上欄第７行における、貸球の貸出しを不能とするカード排出条件として、不正カード検出信号、帰零信号、タイムアウト信号、カード抜取信号、排出球不足検出信号、オーバーフロー検出信号、特別遊技終了検出信号、最大利益数獲得検出信号、カード強制排出指令信号、閉店時間検出信号等を各々設定している旨の記載、さらに、貸球の貸出しを不能とするときの制御態様として、排出球不足検出信号以外のオーバーフロー検出信号等に対して異なる制御態様を採用すべき特段の事情が認められないことを併せ考えると、先願明細書における、排出球不足検出信号があったときに、カードを排出させることに代えて、選択スイッチ３３ａ〜３３ｃの操作を不能、あるいは選択スイッチ３３ａ〜３３ｃからの信号を無効とすることで貸球の貸出しを不能としてもよいとの記載に接した当業者が、これと同じ範疇のオーバーフロー検出信号があったときについても、選択スイッチ３３ａ〜３３ｃの操作を不能、あるいは選択スイッチ３３ａ〜３３ｃからの信号を無効とすることで貸球の貸出しを不能とする技術思想が開示されているものと理解することは自明というべきである。
　してみると、先願には、以下の発明が記載されているものと認められる。
　「機前に設けた下皿７０と、該下皿７０に連通させた状態で機裏に設けた連通樋１３０と、この連通樋１３０に貸球を放出する遊技媒体排出装置１２０等からなり、機前に貸球命令入力用の選択スイッチ３３ａ〜３３ｃを有する遊技媒体貸出部３０を配置した貸球装置とを有する遊技装置において、前記遊技媒体排出装置１２０から放出されたパチンコ球が連通樋１３０内に貯まっていることを検出するオーバーフロー検出器１３１を設け、前記オーバーフロー検出器１３１がパチンコ球を検出しているときに前記選択スイッチ３３ａ〜３３ｃの操作を不能、あるいは前記選択スイッチ３３ａ〜３３ｃからの信号を無効とすることで貸球の貸出しを不能とするように設定し、さらに、前記オーバーフロー検出器１３１がパチンコ球を検出しなくなることに応じて貸球の貸出しを可能にするとともに、前記遊技媒体貸出部３０に貸球装置から貸球の貸出しができないことを遊技者に知らせる稼動状態表示部３４を設けるようにした遊技装置。」（以下、「先願発明」という。）
　　　　
　（４）本件発明１と先願発明との対比検討
　i．本件発明１と先願発明とを対比すると、先願発明における、「下皿７０」、「連通樋１３０」、「遊技媒体排出装置１２０」、「選択スイッチ３３ａ〜３３ｃ」、「遊技媒体貸出部３０」、「オーバーフロー検出器１３１」、「遊技装置」は、それぞれ、本件発明１における、「球皿」、「案内樋」、「球放出装置」、「貸球ボタン」、「操作部」、「センサー」、「パチンコ機」に相当する。
　そして、先願発明における「オーバーフロー検出器１３１がパチンコ球を検出しているときに選択スイッチ３３ａ〜３３ｃの操作を不能、あるいは選択スイッチ３３ａ〜３３ｃからの信号を無効とする」は、本件発明１における「センサーがパチンコ球を検出しているとき貸球ボタンからの貸球命令を受け付けない」に相当する。
　ii．そうすると、本件発明１と先願発明の両者は、以下の、
　「機前に設けた球皿と、該球皿に連通させた状態で機裏に設けた案内樋と、この案内樋に貸球を放出する球放出装置等からなり機前に貸球命令入力用の貸球ボタンを有する操作部を配置した貸球装置とを有するパチンコ機において、前記球放出装置から放出されたパチンコ球が案内樋内に貯まっていることを検出するセンサーを設け、そのセンサーがパチンコ球を検出しているとき前記貸球ボタンからの貸球命令を受け付けないように設定し、さらに前記センサーがパチンコ球を検出しなくなることに応じて貸球の貸出しを可能にしたパチンコ機。」
の発明である点で一致するが、以下の、
　「本件発明１は、センサーがパチンコ球を検出しなくなると貸球ボタンの受け付けを再開して通常の作動に戻る構成であるのに対して、先願発明は、センサーがパチンコ球を検出しなくなることに応じて貸球の貸出しを可能にした構成である点」
で一応相違するものと認められる。
　iii．そこで、前記相違点について検討すると、本件発明１における、センサーがパチンコ球を検出しなくなると貸球ボタンの受け付けを再開して通常の作動に戻る構成は、センサーがパチンコ球を検出しなくなることを条件に貸球ボタンの操作に応じて貸球装置が通常に作動する機能作用をいうものと解されるから、先願発明における、センサーがパチンコ球を検出しなくなることに応じて、それを条件に貸球装置からの貸球の貸出しを可能にした構成は、本件発明１における前記構成と、その機能作用を含めて何ら差異がないものである。
　iv．特許権者は、先願発明においては、貸球の貸出しを不能とするときにカードを排出させているから、貸球の貸出しを可能にするときにカードを再度挿入する必要があり、本件発明１のようにセンサーがパチンコ球を検出しなくなると貸球ボタンの受け付けを再開して通常の作動に戻るというものではない旨主張している。
　しかしながら、先願明細書には、貸球の貸出しを不能とする手段として、カードを排出させる実施例の他に、センサーがパチンコ球を検出しているとき貸球ボタンからの貸球命令を受け付けないようにする先願発明が開示されており、該先願発明においては、センサーがパチンコ球を検出しなくなることに応じて貸球の貸出しを可能にするときにカードを再度挿入する操作を必須とするものではないから、特許権者の前記主張は、先願発明を誤認するものであって、失当である。
　また、本件発明１は、その特許請求の範囲の記載によれば、センサーがパチンコ球を検出しなくなることを条件に、貸球装置が通常の作動状態に移行することを規定するにとどまり、カードを再度挿入する必要がないようにする構成に限定しているものではないから、特許権者の前記主張は、特許請求の範囲の記載に基づかないものであって、失当である。
　v．よって、先願発明には、本件発明１の構成要件がすべて開示されているから、本件発明１は、先願である甲第１号証に記載された発明と同一である。
　　　
　（５）本件発明２と先願発明との対比検討
　本件発明２と先願発明とを対比すると、先願発明における「貸球装置から貸球の貸出しができないことを遊技者に知らせる稼動状態表示部３４」は、本件発明２における「貸球装置が停止中である旨を外部に報知する報知手段」に相当するとともに、前記（４）で本件発明１と先願発明とを対比検討したように、先願発明には本件発明２が本件発明１を引用した部分の構成要件がすべて開示されている。
　よって、先願発明には、本件発明２の構成要件がすべて開示されているから、本件発明２は、先願である甲第１号証に記載された発明と同一である。
　　　
　（６）まとめ
　本件発明１及び２は、その出願日前の出願であって、その出願日後に出願公開された先願である特願平２−２１９０８６号の明細書及び図面を示す甲第１号証〔特開平４−１０２４８３号公報〕に記載された発明と同一であり、しかも本件発明の発明者は前記先願の発明者と同一でもなく、本件出願の時において、その出願人が上記先願の出願人と同一でもないから、特許法第２９条の２第１項の規定により特許を受けることができない。
　　　
５．むすび
　以上のとおりであるから、本件請求項１及び２に係る発明は、先願である甲第１号証に記載された発明と同一であるので、本件請求項１及び２に係る発明の特許は、特許法第２９条の２第１項の規定に違反してされたものである。
　したがって、本件請求項１及び２に係る発明についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第２項の規定により、結論のとおり決定する。
【異議決定日】
平成１４年６月１７日（２００２．６．１７）
【訂正の要旨】
訂正の要旨
　訂正の内容
　ｉ．訂正事項ａ
　特許請求の範囲の請求項１の記載を、
　「機前に設けた球皿と、該球皿に連通させた状態で機裏に設けた案内樋と、この案内樋に貸球を放出する球放出装置等からなり機前に貸球命令入力用の貸球ボタンを有する操作部を配置した貸球装置とを有するパチンコ機において、前記球放出装置から放出されたパチンコ球が案内樋内に貯まっていることを検出するセンサーを設け、そのセンサーがパチンコ球を検出しているとき前記貸球ボタンからの貸球命令を受け付けないように設定し、さらに前記センサーがパチンコ球を検出しなくなると貸球ボタンの受け付けを再開して通常の作動に戻るようにしたことを特徴とするパチンコ機。」
と訂正する。
　ｉｉ．訂正事項ｂ
　特許明細書の段落【０００５】の【課題を解決するための手段】を、
　「本発明は上記に鑑み提案されたもので、請求項１に記載したように、機前に設けた球皿と、該球皿に連通させた状態で機裏に設けた案内樋と、この案内樋に貸球を放出する球放出装置等からなり機前に貸球命令入力用の貸球ボタンを有する操作部を配置した貸球装置とを有するパチンコ機において、前記球放出装置から放出されたパチンコ球が案内樋内に貯まっていることを検出するセンサーを設け、そのセンサーがパチンコ球を検出しているとき前記貸球ボタンからの貸球命令を受け付けないように設定し、さらに前記センサーがパチンコ球を検出しなくなると貸球ボタンの受け付けを再開して通常の作動に戻るようにしたパチンコ機を提供するものである。」と訂正する。
（５４）【発明の名称】
パチンコ機
（５７）【特許請求の範囲】
　【請求項１】　機前に設けた球皿と、該球皿に連通させた状態で機裏に設けた案内樋と、この案内樋に貸球を放出する球放出装置等からなり機前に貸球命令入力用の貸球ボタンを有する操作部を配置した貸球装置とを有するパチンコ機において、
　前記球放出装置から放出されたパチンコ球が案内樋内に貯まっていることを検出するセンサーを設け、そのセンサーがパチンコ球を検出しているとき前記貸球ボタンからの貸球命令を受け付けないように
設定し、さらに前記センサーがパチンコ球を検出しなくなると貸球ボタンの受け付けを再開して通常の作動に戻るように
　【請求項２】　前記貸球装置が停止中である旨を外部に報知する報知手段を設けるようにしたことを特徴とする請求項１記載のパチンコ機。
【発明の詳細な説明】
　【０００１】
　【産業上の利用分野】
　本発明は、裏側に設けた案内樋に貸球を放出して表側の球皿に導くようにしたパチンコ機に関する。
　【０００２】
　【従来の技術】
　従来、上記のようなパチンコ機として、例えば景品球を放出する景品球放出装置をモータによって駆動させ、該モータの回転数を調節することによって任意に放出球数をコントロールできるようになし、この景品球放出装置を利用して貸球をも放出するようにしたものがある。
　【０００３】
　このパチンコ機には、景品球放出装置の作動環境の良否を検出するセンサーが複数箇所に設けられていて、該センサーが不適を検出している状態では景品球を放出しない。具体的には、パチンコ機上部の球タンクと景品球放出装置を連絡する導入樋に、球タンクの球切れを検出する揺動板（図２中符号Ａ参照）を設け、該揺動板Ａが球切れを検出すると入賞球処理装置への入賞球の流入を止めて景品球放出装置の作動を停止させるようにしたり、或いは、案内樋の一部にマイクロスイッチ（図２中符号Ｂ参照）を設け、案内樋に景品球が充満したことを検出するこ発射用モータを止めて入賞球自体の発生を無くし、以て間接的に景品球放出装置の作動を停止させるようにしたもの等がある。
　【０００４】
　【発明が解決しようとする課題】
　しかし、上記パチンコ機には、貸球放出についてこのような安全対策が講じられていないため、
　▲１▼球タンクが球切れ状態であっても、貸球を放出しようとして景品球放出装置が空作動し、従って、例えばプリペイドカードの場合はプリペイドカードから料金だけが引き落とされる事態が起こり得る、
　▲２▼案内樋に景品球が充満している状態で、例えば故意又は過失によって遊技者が貸球命令をキー入力した場合、景品球放出装置が作動して案内樋に貸球が放出されることになり、前記マイクロスイッチＢが設けられている意味がなくなると共に、過失で貸球命令をキー入力した遊技者も救済されない、
　等の問題があった。
　【０００５】
　【課題を解決するための手段】
　本発明は上記に鑑みなされたもので、請求項１に記載したように、機前に設けた球皿と、該球皿に連通させた状態で機裏に設けた案内樋と、この案内樋に貸球を放出する球放出装置等からなり機前に貸球命令入力用の貸球ボタンを有する操作部を配置した貸球装置とを有するパチンコ機において、前記球放出装置から放出されたパチンコ球が案内樋内に貯まっていることを検出するセンサーを設け、そのセンサーがパチンコ球を検出しているとき前記貸球ボタンからの貸球命令を受け付けないように
設定し、さらに前記センサーがパチンコ球を検出しなくなると貸球ボタンの受け付けを再開して通常の作動に戻るように
　【０００６】
　【作用】
　そもそも案内樋内にパチンコ球（景品球）が貯まっている状態では球皿にパチンコ球が充満しているから、その状態での貸球要求は誤操作である確率が高い。従って、案内樋内に貯まっているパチンコ球をセンサーが検出して遊技者からの貸球命令を受け付けないようにすれば、遊技者の誤操作を防止することができる。
　【０００７】
　【実施例】
　以下に本発明の実施例を図面を参照しつつ説明する。なお、図１は貸球装置１の配線を示すパチンコ機Ｐと台間球貸機Ｓを組み合わせた透視斜視図、図２はパチンコ機Ｐと台間球貸機Ｓを組み合わせた裏面図である。
　【０００８】
　パチンコ機Ｐは、長方形の枠状をなす外枠２と、その外枠２の一側に開閉自在に蝶着した前枠３とを有する。前枠３には窓孔４が開設されており、該窓孔４を塞ぐように、上にガラス扉枠５が、下に前面板６が夫々開閉自在に装着されている。該前面板６は、その前面にパチンコ球を溜める上球皿７ａと、後述する台間球貸機Ｓに貸球命令をキー入力する貸球ボタン８やプリペイドカードの返却命令等をキー入力する返却ボタン１０、及び、プリペイドカードの残額を表示する残額表示部１１等を設けた操作部１２を有する。一方、前枠３の裏面には遊技板１３と、該遊技板１３に重合する機構板１４が設けられている。その他前枠３には、前記上球皿７ａからの溢れ球を受ける下球皿７ｂと、パチンコ球の発射勢を調節する操作ハンドル１５等が設けられている。
　【０００９】
　前記機構板１４は、遊技板１３に対して開閉自在なるように該遊技板１３を囲う周枠１６に蝶着されている。この機構板１４には上から順に、パチンコ球を蓄える球タンク１７と、球タンク１７のパチンコ球を流下させる導入樋１８と、該導入樋１８の終端に連通し一定数（例えば１３個）の景品球をモータ１９の駆動で放出する景品球放出装置２０と、該景品球放出装置２０から放出されたパチンコ球を前記上球皿７ａと下球皿７ｂに導く案内樋２１、その案内樋２１に景品球が貯まっていることを検出するセンサーたるマイクロスイッチＢが設けられている。そしてさらに機構板１４には、入賞球を集める球集合樋２２と、その球集合樋２２の終端に連通して１個づつ入賞球を受け入れ、該入賞球を球検出スイッチ９で検出することによって前記景品球放出装置２０を作動させる入賞球処理装置２３等が設けられている。
　【００１０】
　一方、前記台間球貸機Ｓは、プリペイドカード対応型のもので、薄型直方体のケース体２４内に、プリペイドカードに対して金額情報を読み書きするカードリーダ２５と、制御装置２６を内蔵したものである。カードリーダ２５は、プリペイドカードの挿入・排出口２７をケース体２４の前面に臨ませたものであり、内蔵モータ（図示せず）の駆動によってプリペイドカードを出し入れする。
　【００１１】
　しかして、貸球装置１は、前記カードリーダ２５、制御装置２６、操作部１２、景品球放出装置２０と兼用する球放出装置２８、前記導入樋１８の底面に設けたセンサーたるマイクロスイッチ２９、及び、案内樋２１に設けたセンサーたるマイクロスイッチＢ等により構成されている。これらは図１に示したように、カードリーダ２５と操作部１２（ここでは説明の便宜上貸球ボタン８のみの接続を示した。）、球放出装置（モータ１９）、マイクロスイッチ２９，Ｂが制御装置２６に接続されている。なお、ここで球放出装置２８のモータ１９は、制御装置２６にただ単に接続されているのみならず景品球を放出するための制御回路も含まれている。
　【００１２】
　そして貸球装置１の作動を停止する手段は、制御装置２６のＲＯＭにプログラムされており、マイクロスイッチ２９の球切れ情報を受けるか又はマイクロスイッチＢの球有り情報を受けて貸球ボタン８のキー入力を無視するものである。なお、制御装置２６のプログラムは、マイクロスイッチ２９，Ｂから球切れ又は球有り情報を受けた場合でも、操作部１２の返却ボタン１０のキー入力に限ってそのまま実行されるよう設定してあり、従ってプリペイドカードの返却は可能である。
　【００１３】
　次に動作説明をする。通常時には、球タンク１７、導入樋１８及び景品球放出装置２０（球放出装置２８）にパチンコ球が満たされていてマイクロスイッチ２９がＯＮ状態にあり、また、案内樋２１に景品球がないためマイクロスイッチＢがＯＦＦ状態にある。従って貸球装置１の作動環境が良好であるから、遊技者がプリペイドカードを挿入して操作部１２の貸球ボタン８を１回押すと一定数（例えば２５個）の貸球が球放出装置２８から案内樋２１に放出される。該貸球は案内樋２１から上球皿７ａに流出する。この貸球が発射されて入賞すると、機構板１４の球集合樋２２にその入賞球が集められて入賞球処理装置２３に１個づつ入り、これによってモータ１９が所定数回転して景品球が放出される。
　【００１４】
　次に、球タンク１７が空か、又は、導入樋１８の途中で球詰まりが発生した場合は、マイクロスイッチ２９のアクチュエータ片が上昇してＯＦＦとなり、作動環境不適の情報が制御装置２６に送られる。すると制御装置２６はプログラムに基づいて貸球ボタン８のキー入力を無視する。従って、遊技者がプリペイドカードを入れて貸球ボタン８を押しても貸球装置１が作動しないため、プリペイドカードの金額も引き落とされることはない。なお、この際ランプによる表示や音によって貸球装置１が停止中である旨を外部に報知し、遊技者や店員にその状況を明確に伝えることが望ましい。このような遊技者等に対する報知の具体的手段として、照光式押ボタンスイッチを利用し、貸球装置１の停止中に押ボタン自体を点滅させることが考えられる。
　【００１５】
　そして、球タンク１７にパチンコ球が満たされる等して貸球装置１の作動環境が改善されるとマイクロスイッチ２９のアクチュエータ片が球圧で下がってＯＮとなり、貸球装置１の作動環境が良好である旨の情報が制御装置２６に送られる。すると制御装置２６は、貸球ボタン８のキー入力の受け付けを再開し、通常の作動に戻る。
　【００１６】
　次に、景品球が増えて案内樋２１にまで貯まるようになると、マイクロスイッチＢがそれを検出し貸球放出の作動環境が不適切として前記のように貸球装置１の作動を停止させる。一般に、案内樋２１に景品球が充満している状態では貸球装置１を作動させなくとも遊技者に不便を強いるものではなく、却ってこのような状況下での貸球命令は誤入力である場合が多い。従って、貸球装置１の作動環境の良否を検出するセンサーとしてマイクロスイッチＢを利用すれば、遊技者の誤入力を防止する効果が期待できる。なお、マイクロスイッチＢは図２のように下球皿７ｂに対応して案内樋２１の下方に設けたが、例えば上球皿７ｂに対応して案内樋２１の上方に設けても上記と同じ効果を得ることができる。
　【００１７】
　そして、下球皿７ｂのパチンコ球が減って案内樋２１の球レベルが下がるとセンサーがＯＦＦとなり、制御装置２６が貸球ボタン８のキー入力の受け付けを再開して通常の作動に戻る。
　【００１８】
　以上本発明の実施例を図１，２について説明したが、もちろん本発明はこの実施例に限定されるものではない。例えば、貸球装置１の作動を停止させる手段は、球放出装置２８のモータ１９を停止させるか、或いはカードリーダ２５の内蔵モータをカードの排出方向にのみ駆動させるようになし、既にカードリーダ２５内にあるプリペイドカードを速やかに排出すると共に新たなプリペイドカードの挿入を阻止するようにしても良い。
　【００１９】
　また、貸球装置１の作動を停止させる手段は、制御装置２６のプログラムによるソフト的なものに限らずハード的に行わせることも可能である。例えば貸球ボタン８と制御装置２６の間にマイクロスイッチ２９を直列に接続するのである。こうすることによって、球切れ時にマイクロスイッチ２９が回路を開き、貸球ボタン８と制御装置２６が断線するため、前記同様制御装置２６が貸球ボタン８のキー入力を受け付けない。
　【００２０】
　また、マイクロスイッチ２９は導入樋１８や球タンク１７内等任意の位置に設置すれば良いのであるが、特に球放出装置２８の１回の貸球分（例えば２５個）を確認できる位置に設置することが貸球装置１の作動環境の良否を検出する上で効果的であると考えられる。
　【００２１】
　また、本発明はカードリーダ２５と制御装置２６を台間球貸機Ｓに組み込んだものを示したが、両者をパチンコ機Ｐに組み込んだものでも良い。また、前記実施例では貸球装置１の球放出装置２８を景品球放出装置２０と兼用させるようにしたが、球放出装置２８を景品球放出装置２０の上に重ねて別途設けても良い。このように構成すると、景品球放出装置２０は実施例のようなモータ１９の駆動による放出球数可変形式にしなくとも従来の放出球数固定形式のものがそのまま利用でき、しかも貸球の放出命令と景品球の放出命令が同時であった場合（例えば遊技者の持球が残り僅かな状態で入賞した場合に起こり得る）等の面倒な処理が必要ない。さらにまた、球放出装置２８はパチンコ機Ｐに設ける以外に台間球貸機Ｓに内蔵することもできる。
　【００２２】
　【発明の効果】
　本発明は案内樋内に貯まっているパチンコ球をセンサーが検出して遊技者からの貸球命令を受け付けないようにしたため、球皿にパチンコ球があるのに誤って貸球命令を入力した、というような誤操作が生じない。
【図面の簡単な説明】
　【図１】　パチンコ機と台間球貸機を組み合わせた透視斜視図である。
　【図２】　パチンコ機と台間球貸機を組み合わせた裏面図である。
　【符号の説明】
　Ｐ　…パチンコ機
　Ｓ　…台間球貸機
　１　…貸球装置
　７ａ，７ｂ…球皿
　８　…貸球ボタン
　１２…操作部
　２１…案内樋
　２５…カードリーダ
　２８…球放出装置
　Ｂ　…センサー（マイクロスイッチ）